(57)【特許請求の範囲】
【請求項１】
電気的な導体を接続するための圧接コンタクトを備えたコネクタであって、圧接コンタクトが支持体（１０）に保持されており、電気的な導体が導体案内部分（２０）で導体案内通路（２４）内に案内されており、前記支持体（１０）と前記導体案内部分（２０）との押合わせ時に電気的な導体が圧接コンタクト内に圧入されるようになっている形式のものにおいて、前記支持体（１０）が前記導体案内部分（２０）と共に半割シェル形ハウジング（３０）内に嵌め込まれており、前記支持体（１０）が、半割シェル形ハウジング（３０）に設けられた肩部（３８）に接触しており、該半割シェル形ハウジング（３０）に斜面（３２）が設けられており、該斜面（３２）が、前記導体案内部分（２０）に設けられた斜め段付け部（２２）と協働するようになっており、前記支持体（１０）と前記導体案内部分（２０）とが半割シェル形ハウジング（３０）内に押し込まれると、前記導体案内部分（２０）の斜め段付け部（２２）が半割シェル形ハウジング（３０）の斜面（３２）に沿ってスライドし、前記導体案内部分（２０）が前記支持体（１０）へ向かって運動させられて、電気的な導体が圧接コンタクト（１４）内に圧入されるようになっていることを特徴とする、圧接コンタクトを備えたコネクタ。
【請求項２】
半割シェル形ハウジング（３０）に設けられた斜面（３２）が、側壁（３４）を内方へ突入するようにずらすことにより形成されており、しかも前記斜面が、底部（３６）から接続側へ向かって有利には鉛直線に対して３０゜の角度を成して延びている、請求項１記載のコネクタ。
【請求項３】
半割シェル形ハウジング（３０）に、ハウジング内部へ向けられたアングル部（３９）を備えた肩部（３８）が設けられており、該肩部（３８）が側壁（３４）に対して延長されて形成されている、請求項１または２記載のコネクタ。
【請求項４】
導体案内部分（２０）の側面（２８）に設けられた斜め段付け部（２２）が、接続側へ向かって有利には鉛直線に対して３０゜の角度を成して形成されている、請求項１から３までのいずれか１項記載のコネクタ。
【請求項５】
支持体（１０）の、差込み側に向けられた側に案内溝（１２）が加工成形されており、該案内溝（１２）内に、半割シェル形ハウジング（３０）の肩部（３８）に設けられたアングル部（３９）が係合するようになっている、請求項１から４までのいずれか１項記載のコネクタ。
【請求項６】
導体案内部分（２０）の、支持体（１０）に向けられた側が係止突起（２７）を備えており、支持体（１０）のカバー面（１６）に相互間隔を置いて配置された２つの係止切欠き（１７，１７′）が設けられており、導体案内部分（２０）に設けられた前記係止突起（２７）が、前組付けされた位置で前記両係止切欠きのうちの第１の係止切欠き（１７）内に係合し、完全に嵌め合わされた位置で第２の係止切欠き（１７′）内に係合するようになっている、請求項１から５までのいずれか１項記載のコネクタ。
【発明の詳細な説明】
【０００１】
【発明の属する技術分野】
本発明は、電気的な導体を接続するための絶縁体無剥離接続式の複数の圧接コンタクト（ＩＤＣコンタクトとも呼ばれる）を備えた差込み接続器もしくはコネクタであって、圧接コンタクトが１つの支持体に保持されており、複数の電気的な導体が導体案内部分で複数の導体案内通路内に案内されており、前記支持体と前記導体案内部分との押合わせ時に電気的な導体が圧接コンタクト内に圧入されるようになっている形式のものに関する。
【０００２】
【従来の技術】
このような形式のコネクタは、圧接コンタクトと電気的な導体とを結合させることのできる方形構造に形成されたコネクタボディをスライド技術によって互いにコンタクティングするために必要とされる。
【０００３】
ドイツ連邦共和国特許第１９７２５７３２号明細書に基づき、引張負荷軽減のための装置が公知である。この公知の装置では、円形コネクタに設けられた圧接コンタクトが、押圧ねじを半径方向に回転させることによって軸方向のスライドを受け、このときに導体案内部分に挿入された電気的な導体が圧接コンタクト内に圧入される。しかし、この原理は方形に成形されたコネクタでは使用不可能である。
【０００４】
【特許文献１】
ドイツ連邦共和国特許第１９７２５７３２号明細書
【０００５】
【発明が解決しようとする課題】
したがって、本発明の課題は、冒頭で述べた形式のコネクタを改良して、方形に成形されたコネクタに設けられた圧接コンタクトが線状のスライド機構によって電気的な導体に結合されるようなコネクタを提供することである。
【０００６】
【課題を解決するための手段】
この課題を解決するために本発明の構成では、前記支持体が前記導体案内部分と共に半割シェル形ハウジング内に嵌め込まれており、前記支持体が、半割シェル形ハウジングに設けられた肩部に接触しており、該半割シェル形ハウジングに斜面が設けられており、該斜面が、前記導体案内部分に設けられた斜め段付け部と協働するようになっており、前記支持体と前記導体案内部分とが半割シェル形ハウジング内に押し込まれると、前記導体案内部分の斜め段付け部が半割シェル形ハウジングの斜面に沿ってスライドし、前記導体案内部分が前記支持体へ向かって運動させられて、電気的な導体が圧接コンタクト内に圧入されるようにした。
【０００７】
【発明の効果】
本発明により得られる利点は特に次の点に認められる。すなわち、方形に成形されたコネクタのために、撚り線導体と圧接コンタクトとの簡単でかつ組付けに適した結合が可能となる。この場合、組付け工具として形成された半割シェル形ハウジング内に嵌め込まれた支持体と、この支持体に添え付けられた導体案内部分とに押圧力を加えることにより、支持体と導体案内部分とが押し合わされるので、導体案内部分に挿入された撚り線導体は支持体に設けられた圧接コンタクト内に圧入される。
【０００８】
支持体と導体案内部分とのこのような線状の押合わせを可能にするためには、半割シェル形ハウジングに複数の斜面が設けられていると有利である。これらの斜面は導体案内部分に設けられた斜め段付け部と対応する。さらに、半割シェル形ハウジングの一方の側には複数の肩部が設けられており、これらの肩部に支持体が当て付けられるようになっている。それに対して、半割シェル形ハウジングの他方の側に設けられた斜面は導体案内部分の斜め段付け部と共に互いにスライドして、支持体と導体案内部分との押合わせを生ぜしめる。
【０００９】
請求項２〜請求項６には、本発明の有利な構成が記載されている。
【００１０】
【発明の実施の形態】
以下に、本発明の実施の形態を図面につき詳しく説明する。
【００１１】
図１には、方形に成形された差込み結合器もしくはコネクタが互いに引き離された状態で図示されている。このコネクタは差込み側１１と接続側とを備えた支持体１０と、この支持体１０に添え付けられるべき導体案内部分２０とを有している。
【００１２】
支持体１０には、複数のコンタクトエレメントが埋め込まれている。これらのコンタクトエレメントは差込み側１１に公知のＲＪ４５型配列の差込み面（Ｓｔｅｃｋｇｅｓｉｃｈｔ）を有している。それに対して、接続側では、導体案内部分２０へ向けられて複数のコンタクトエレメントが、ワンタッチ式の絶縁体無剥離接続のための圧接コンタクト（ＩＤＣコンタクト）１４として形成されている。圧接コンタクト１４の上方には、２つの係止切欠き１７，１７′を備えたカバー面１６が設けられており、このカバー面１６は支持体１０に一体成形されている。導体案内部分２０には、複数の導体案内通路２４が設けられている。これらの導体案内通路２４内には、電気的な撚り線導体（図示しない）が嵌込み可能である。組付け時では、まず両差込み部分、つまり支持体１０と導体案内部分２０とが、ルーズに添え合わされ、この場合、導体案内部分２０は支持体１０のカバー面１６の下方に接触し、支持体１０の縁部１８は接続面２６と面一に整合する。この前組立された位置では、導体案内部分２０に設けられた係止突起２７が、支持体１０のカバー面１６に設けられた第１の係止切欠き１７内にスナップイン式に係合する（図３参照）。
【００１３】
しかしこのとき、圧接コンタクト１４の先端部は既に導体案内部分２０内の対応する導体案内通路２４内に案内されている。ただし、支持体１０と導体案内部分２０との間にはまだ隙間が存在している。
【００１４】
導体案内部分２０の側面２８には、接続面２６へ向かってそれぞれ斜めに段付けされた部分（以降「斜め段付け部」と呼ぶ）２２が設けられている。これらの斜め段付け部２２により、側面全体のうちの接続側寄りの残りの部分は側面２８に比べて減幅されて形成されており、この場合、鉛直線に対して有利には３０゜の角度を有する縁部が形成される。
【００１５】
支持体１０と導体案内部分２０とが最終的に差し合わされると、圧接コンタクト１４は導体案内通路２４内で、これらの導体案内通路２４内に案内された電気的な導体の絶縁被覆体が圧接コンタクト１４によって切断されて、撚り線導体と電気的にコンタクトするように配置されている。
【００１６】
図２には、３つの側で開いた半割シェル形ハウジング３０が示されている。この半割シェル形ハウジング３０は主として底部３６と、２つの側壁３４とから形成されている。この半割シェル形ハウジング３０の一方の端面は側壁３４に比べて延長された肩部３８を有している。これらの肩部３８には、それぞれ内方へ向けられたアングル部３９が一体成形されている。
【００１７】
さらに、側壁３４は、肩部３８から見て最後の１／３の部分で内方へずらされていて、斜面３２を備えた縁部を有している。この斜面３２は有利には３０゜の角度で形成されている。この半割シェル形ハウジング３０は工具を成している。この工具を用いて、支持体１０と導体案内部分２０とが嵌め合わされる。前記肩部３８には、コネクタの組付け時に支持体１０が当て付けられ、この場合、アングル部３９は支持体１０に設けられた案内溝１２内にそれぞれ係合するので、既に半割シェル形ハウジング３０内への沈み込みの開始前に支持体１０と、この支持体１０に添え付けられた導体案内部分２０との間のガイドが形成される。
【００１８】
図３には、まだ最終的に嵌め合わされてはいないが、しかし既に前組付けされた両コネクタ部分、つまり図１に示した支持体１０および導体案内部分２０が、半割シェル形ハウジング３０内に挿入されている状態が示されている。この場合、まず支持体１０に設けられた案内溝１２が、肩部３８のアングル部３９に当て付けられ、次いで半割シェル形ハウジング３０内に嵌め込まれるので、導体案内部分２０と半割シェル形ハウジング３０とに設けられた両斜面２２，３２が互いに整合して接触する。このときに上下に位置決めされた前記コネクタ部分に押圧力（図３にＰで示す）が加えられると、導体案内部分２０は半割シェル形ハウジング３０と導体案内部分２０とに設けられた両斜面２２，３２に基づき支持体１０の方向へ線状に移動する。この場合、それと同時に、導体案内部分２０の導体案内通路２４内に存在する撚り線導体が圧接コンタクト１４の間へ押し込まれる。これによって、係止突起２７が第２の係止切欠き１７′内にスナップイン式に係合して、支持体１０と導体案内通路２４とを結合する。
【００１９】
図４には、もう一度、導体案内部分２０と最終的に嵌め合わされた支持体１０が示されている。この場合、半割シェル形ハウジング３０は支持体１０と導体案内部分２０とから再び取り外されている。
【００２０】
半割シェル形ハウジング３０は単に支持体１０と導体案内部分２０とを押し合わせるための組付け工具としてのみ働く。
【図面の簡単な説明】
【図１】支持体と導体案内部分とを備えたコネクタの分解斜視図である。
【図２】半割シェル形ハウジングを示す斜視図である。
【図３】半割シェル形ハウジングと、この半割シェル形ハウジングに装着された支持体および導体案内部分とを示す斜視図である。
【図４】支持体と嵌め合わされた導体案内部分を示す斜視図である。
【符号の説明】
１０  支持体、  １２  差込み側、  １２  案内溝、  １４  圧接コンタクト、  １６  カバー面、  １７，１７′  係止切欠き、  １８  縁部、  ２０  導体案内部分、  ２２  斜め段付け部、  ２４  導体案内通路、  ２６  接続面、２７  係止突起、  ２８  側面、  ３０  半割シェル形ハウジング、  ３２  斜面、  ３４  側壁、  ３６  底部、  ３８  肩部、  ３９  アングル部
【図１】
0003965132.tif 000002
【図２】
0003965132.tif 000003
【図３】
0003965132.tif 000004
【図４】
0003965132.tif 000005